(57)【要約】【課題】  洗浄後の汚水を濾過して再び使用する循環式で、狭い場所でも簡単に、且つ、確実に洗浄できると共に、装置全体をコンパクトに収納でき、収納時の洗浄ブラシの刷毛の変形や衛生上の心配の無いアップライト型床面洗浄清掃機を提供する。【解決手段】  洗浄水貯留タンク２を床面洗浄清掃機本体１の後方に装着し、洗浄水貯留タンク２の後面に斜めにカットした傾斜面２Ａを形成して、床面洗浄清掃機本体１の全体を斜めに仮置き可能とすると共に、仮置き時の操作ハンドル１０の姿勢と内部構造の重量バランスにより、洗浄水貯留タンク２が空であっても安定的に仮置きを可能とした。【選択図】      図３
2008206725.tif 000002
【特許請求の範囲】
【請求項１】
操作ハンドルを押して走行させながらケース内部に設けた洗浄ブラシを回転又は往復運動させると共に、洗浄水貯留タンク内の洗浄水を上記回転又は往復運動中の洗浄ブラシ側に給水することによって床面を洗浄し、洗浄によって発生した汚水をブロアーの吸引作用で上記洗浄水貯留タンクに回収し、且つ、回収した汚水を濾過して再び洗浄水として循環使用するように構成した床面洗浄清掃機であって、
上記床面洗浄清掃機の本体、若しくは、本体に付随する洗浄水貯留タンクの後部下側面に、床面洗浄清掃機の全体を上記の洗浄ブラシが床面から離れるように手前に引き起こす仮置き姿勢に回動する際に、床面との接触を逃がして床面洗浄清掃機本体の回動を可能と成し、且つ、床面洗浄清掃機本体が上記仮置き姿勢位置に回動されると、床面に接してその姿勢を支持することができる傾斜面を設けたことを特徴とする床面洗浄清掃機。
【請求項２】
前記床面洗浄清掃機本体全体の重量バランスが、前記洗浄水貯留タンク内に洗浄水が注入されていない場合であっても、前記の仮置き姿勢を維持できるように設定されていることを特徴とする請求項１に記載の床面洗浄清掃機。
【請求項３】
前記洗浄水貯留タンクを、前記床面洗浄清掃機本体の後面部に設けた取付部に対して着脱自在に構成すると共に、上記床面洗浄清掃機本体全体の重量バランスが、前記操作ハンドルを床面洗浄清掃機本体の進行方向に前倒しにして、この前倒しにした操作ハンドルが起立状態と成るように床面洗浄清掃機本体の全体を立ち上げ回動し、且つ、上記の洗浄水貯留タンクを床面洗浄清掃機本体から取り外してその取付部を床面に接地させた収納姿勢を維持できるように設定されていることを特徴とする請求項１又は２に記載の床面洗浄清掃機。
【請求項４】
前記操作ハンドルの自由回動を固定する係止手段と、この係止手段による係止を解いて操作ハンドルの回動をフリーにすることができる解放板を設けると共に、この解放板には、上記係止手段による係止を解いて上記操作ハンドルの回動をフリーにした時に、前記床面洗浄清掃機本体に設けた移動用車輪を押圧してブレーキ作用を発揮する押圧部を設けたことを特徴とする請求項１、２又は３に記載の床面洗浄清掃機。
【請求項５】
前記操作ハンドルの下端部に、周縁部に複数の係合溝を間隔的に凹設した係止板を取付けて、この係止板を前記床面洗浄清掃機本体の側面に回動自在に取付けることによって、操作ハンドルを床面洗浄清掃機本体に対して前後方向に回動自在に取付けると共に、上記の床面洗浄清掃機本体に対して上下回動自在に取付けたペダル式解放板に、上記複数の係合溝のいずれかに弾性的に係合して、上記床面洗浄清掃機本体に対する操作ハンドルの角度を複数段に調整することができる係合ピンを設け、且つ、上記ペダル式解放板には、解放板を踏んで上記の係合ピンをバネの弾性力に抗して上記係止板の係合溝から外した時に、上記移動用車輪にブレーキ圧を加える押圧部を設けたことを特徴とする請求項４に記載の床面洗浄清掃機。
【発明の詳細な説明】
【技術分野】
【０００１】
本発明は、洗浄ブラシを回転又は往復運動させることによって床面を洗浄する床面洗浄清掃機に関するものであって、より具体的には、床面を洗浄した後の洗浄汚水を洗浄水貯留タンクに回収して、再び洗浄水して循環使用するように構成したアップライト型の床面洗浄清掃機の改良に関するものである。
【背景技術】
【０００２】
近年、コンビニエンスストアなどの小型店舗や、小規模なオフィスで使用される手軽で小型の床面洗浄清掃機が求められてきている。  
例えば２４時間営業のコンビニエンスストアでは、夜間の顧客が空いた時間帯に手軽に床面の清掃や洗浄が可能で、洗浄水と洗剤の準備や、回収した汚水の処理などに手間取らないような、手軽な床面洗浄清掃機が必要とされている。また、小規模なオフィスでは机やテーブルの下の洗浄も手軽にでき、狭いスペースで保管するできる床面洗浄清掃機が必要とされている。
【０００３】
そこで本出願人は、特許文献１に見られるように洗浄後の汚水を濾過して再び使用する循環式であって、且つ、回転する洗浄ブラシの部分を机の下のような狭い場所にも差込んで簡単に、而も、確実に洗浄できるように工夫したアップライト型床面洗浄清掃機を開発し、これを実現している。
更に本出願人は、特許文献２に見られるように、装置全体を折畳んで立てかける時に、操作ハンドルを短く折畳んで全体をよりコンパクト化できるようした床面艶出機を開発し、これを実現している。
【特許文献１】特許第３５６８８３７号公報
【特許文献２】特許第３４７８９７６号公報
【発明の開示】
【発明が解決しようとする課題】
【０００４】
ところが、上記特許文献１に記載のアップライト型床面洗浄清掃機では、洗浄水を溜めておく洗浄水タンクが操作ハンドルの上部に装着されているため、洗浄清掃時のハンドル操作や操作ハンドルの回動時に負荷が重く、使用上極めて取扱いにくいものであった。また、そのために洗浄水容量を減らすと、循環しながら回収して使用している洗浄汚水がすぐに汚れてしまい、洗浄水そのものを交換する頻度が多くなって煩雑となるといった問題があった。
【０００５】
更に、上記のアップライト型床面洗浄清掃機は、清掃作業が終了した後で、洗浄水でぬれた洗浄ブラシを床面に直接付けたまま保管することになるため、洗浄ブラシの刷毛が部分的に変形したり、置いてある床面が湿って不衛生であることから、実際に操作ハンドルを鉛直に立てたままで機体を放置することは不適切で、不可能であるという問題があった。
【０００６】
また、上記特許文献２に記載の床面艶出機では、操作ハンドル上に装着しているタンクはあくまでも艶出機用途のスプレータンク程度の大きさのものであるため、本発明の対象である床面洗浄清掃機にこの技術をそのまま応用することは不可能である。
【０００７】
そこで、本発明の技術的課題は、洗浄後の汚水を濾過して再び使用する循環式であって、洗浄ブラシの部分を机の下のような狭い場所に差込んで簡単に、且つ、確実に洗浄できるように工夫すると共に、機体全体を簡単に立てかけたりコンパクトに収納できるようにし、更に収納時の洗浄ブラシの刷毛の変形や衛生上の心配の無いアップライト型の床面洗浄清掃機を提供することである。
【０００８】
（１）  上記の技術的課題を解決するために、本発明の請求項１に記載の床面洗浄清掃機は、操作ハンドルを押して走行させながらケース内部に設けた洗浄ブラシを回転又は往復運動させると共に、洗浄水貯留タンク内の洗浄水を上記回転又は往復運動中の洗浄ブラシ側に給水することによって床面を洗浄し、洗浄によって発生した汚水をブロアーの吸引作用で上記洗浄水貯留タンクに回収し、且つ、回収した汚水を濾過して再び洗浄水として循環使用するように構成した床面洗浄清掃機であって、上記床面洗浄清掃機の本体、若しくは、本体に付随する洗浄水貯留タンクの後部下側面に、床面洗浄清掃機の全体を上記の洗浄ブラシが床面から離れるように手前に引き起こす仮置き姿勢に回動する際に、床面との接触を逃がして床面洗浄清掃機本体の回動を可能と成し、且つ、床面洗浄清掃機本体が上記仮置き姿勢位置に回動されると、床面に接してその姿勢を支持することができる傾斜面を設けたことを特徴としている。  
【０００９】
（２）  また、本発明の請求項２に記載の床面洗浄清掃機は、前記床面洗浄清掃機本体全体の重量バランスが、前記洗浄水貯留タンク内に洗浄水が注入されていない場合であっても、前記の仮置き姿勢を維持できるように設定されていることを特徴としている。
【００１０】
（３）  また、本発明の請求項３に記載の床面洗浄清掃機は、前記洗浄水貯留タンクを、前記床面洗浄清掃機本体の後面部に設けた取付部に対して着脱自在に構成すると共に、上記床面洗浄清掃機本体全体の重量バランスが、前記操作ハンドルを床面洗浄清掃機本体の進行方向に前倒しにして、この前倒しにした操作ハンドルが起立状態と成るように床面洗浄清掃機本体の全体を立ち上げ回動し、且つ、上記の洗浄水貯留タンクを床面洗浄清掃機本体から取り外してその取付部を床面に接地させた収納姿勢を維持できるように設定されていることを特徴としている。  
【００１１】
（４）  また、本発明の請求項４に記載の床面洗浄清掃機は、前記操作ハンドルの自由回動を固定する係止手段と、この係止手段による係止を解いて操作ハンドルの回動をフリーにすることができる解放板を設けると共に、この解放板には、上記係止手段による係止を解いて上記操作ハンドルの回動をフリーにした時に、前記床面洗浄清掃機本体に設けた移動用車輪を押圧してブレーキ作用を発揮する押圧部を設けたことを特徴としている。
【００１２】
（５）  更に、本発明の請求項５に記載の床面洗浄清掃機は、前記操作ハンドルの下端部に、周縁部に複数の係合溝を間隔的に凹設した係止板を取付けて、この係止板を前記床面洗浄清掃機本体の側面の操作ハンドル回動中心と同軸状態に回動自在に取付けることによって、操作ハンドルを床面洗浄清掃機本体に対して前後方向に回動自在に取付けると共に、上記の床面洗浄清掃機本体に対して上下回動自在に取付けたペダル式解放板に、上記複数の係合溝のいずれかに弾性的に係合して、上記床面洗浄清掃機本体に対する操作ハンドルの角度を複数段に調整することができる係合ピンを設け、且つ、上記ペダル式解放板には、解放板を踏んで上記の係合ピンをバネの弾性力に抗して上記係止板の係合溝から外した時に、上記移動用車輪にブレーキ圧を加える凹圧部を設けたことを特徴としている。
【００１３】
上記（１）で述べた請求項１に係る手段によれば、洗浄水タンク内に洗浄水が満水であれば、内部構造物の配置状の重量バランスにより、床面洗浄清掃機の全体を斜めに安定して仮置き出来るため、清掃後の洗浄ブラシの乾燥時に放置しやすく、洗浄ブラシの交換時などにも作業しやすくすることを可能にしている。
【００１４】
また、上記（２）で述べた請求項２に係る手段によれば、洗浄水が満水でなくとも、上記（１）と同様に洗浄ブラシ乾燥のための放置や、洗浄ブラシ交換等の作業がしやすくなっている。
【００１５】
また、上記（３）で述べた請求項３に係る手段によれば、洗浄水貯留タンクを取り外した状態でも、床面洗浄清掃機の本体全体を立ち上げ状態にした収納姿勢を維持できるため、洗浄水貯留タンクを外した場合には、極めて少ない床面積で安定的に洗浄ブラシ乾燥のための放置や、洗浄ブラシ交換等の作業、及び、収納を行うことを可能にする。
【００１６】
また、上記（４）で述べた請求項４に係る手段によれば、解放板を操作して係止手段による係止を解くと、操作ハンドルを自由に回動して収納状態に折り畳むことができるが、この時、解放板の押圧部が床面洗浄清掃機本体の移動用車輪を押圧してブレーキ作用を発揮するため、床面洗浄清掃機本体の移動を停止させた状態で洗浄ブラシの乾燥や掃除、或いは、交換といった各種作業を安定した状態で行うことを可能にする。
【００１７】
上記（５）で述べた請求項５に係る手段によれば、ペダル式解放板を踏むことによって、移動用車輪にブレーキを掛けた状態で操作ハンドルを回動操作する時に、ペダル式解放板から足を離してもブレーキが掛かっている状態を維持するため、楽な姿勢で操作ハンドルを回動操作できると共に、床面洗浄清掃機が移動してしまうことがないので、上述した各種の作業を安全に行うことを可能にする。
【発明の効果】
【００１８】
以上述べた次第で、本発明に係る床面洗浄清掃機によれば、小型で比較的大容量の洗浄水タンクを搭載しつつ、机やテーブルの下の洗浄も手軽にできる機能性を備えていて、洗浄水の排水や交換の頻度も少なく、また、洗浄ブラシのメンテナンスも容易で、且つ、安全に行うことができる使い勝手の良い床面洗浄清掃機が実現できるものであって、コンビニエンスストアや小規模なオフィスなどに使用して好適であり、小型で手軽な洗浄水循環式の床面洗浄清掃機の普及に頗る有益なものである。
【発明を実施するための最良の形態】
【００１９】
以下に、上述した本発明に係る床面洗浄清掃機の実施の形態を図面と共に説明すると、図１は本発明の一実施例である床面洗浄清掃機の外観と内部構造を説明した斜視図であって、図中、符号１で全体的に示したのは床面洗浄清掃機本体、１Ａは床面洗浄清掃機本体１の本体ケース、１Ｂは本体ケース１Ａの前記連設したブラシケース体、２は本体ケース１Ａの後面に設けた取付部１Ｋ（図５参照）に対して、装脱自在に構成した洗浄水貯留タンク、３Ｔは上記取付部１Ｋの上側部に止め金具３，３を用いて装着自在に構成した上カバー体であって、上記の洗浄水貯留タンク２はこの上カバー体３Ｔに対して止め金具３Ｈを用いて装着自在に構成されている。
【００２０】
また、４は底面を開口した上記ブラシケース体１Ｂの内部に取付けられた洗浄ブラシ、４Ｍは同じくブラシケース体１Ｂの内部に取付けた駆動モータで、この駆動モータ４Ｍがベルト４Ａを介して洗浄ブラシ４を回転することによって、床面ＦＬ（図２参照）が洗浄される仕組みに成っている。
【００２１】
更に図１において、符号５で全体的に示したのは、上記開口されたブラシケース体１Ｂの底面に設けたスキージ装置であって、このスキージ装置５は、前後の開口縁に設けた前側スキージ５Ａと後側スキージ５Ｂとによって構成される。また、５Ｃ，５Ｃは前後のスキージ５Ａ，５Ｂの両サイドに設けた側部ガードであって、上記の洗浄ブラシ４は前後と両サイドをこれ等前後のスキージ５Ａ，５Ｂと側部ガード５Ｃ，５Ｃで囲まれた、上記ブラシケース体１Ｂの底面開口部分で回転して、底面ＦＬを洗浄する。
【００２２】
また、６は上記本体ケース１Ａの内部に取付けたブロアーで、モータ６Ｍによって回転して吸引作用（排気作用）を発揮するこのブロアー６は、その吸引力をダクト６Ｈ及びタンク排気口２Ｙを通して前記洗浄水貯留タンク２内に及ぼし、且つ、この洗浄水貯留タンク２内に及ぼされた吸引作用を、更に、タンク吸気・吸水口２Ｘから汚水回収ダクト７を通して、前記ブラシケース体１Ｂ内に設けた汚水吸引ノズル７Ａに及ぼすことによって、上記洗浄ブラシ４の回転による洗浄によって発生し、スキージ装置５によるスキージ作用によって掻き集められた洗浄後の汚水を、上記の汚水回収ダクト７を通して洗浄水貯留タンク２に吸水（循環）するように構成されている。
【００２３】
更に図中、８Ａはポンプ８の吸水作用によって吸水口２Ｚを通して前記洗浄水貯留タンク２より吸水した洗浄水を、前記洗浄ブラシ４に供給する洗浄水給水パイプであって、前記汚水回収ダクト７を通して洗浄水貯留タンク２に吸引された洗浄処理後の汚水が、洗浄水貯留タンク２の内部、又は、外部に設けた濾過装置（図示省略）で濾過されて、洗浄水として再び循環利用される仕組みに成っている。
【００２４】
また、図１において６Ｘは前記ブロアー６の排気口を示し、更に図中、太い実線で示したライン（ＩＮ）は、洗浄汚水の回収ルートを示し、太い点線で示したライン（ＯＵＴ）は、ブロアー６の排気ルートを示す。また、９は移動用車輪（後輪）で、１０は両端部を上記本体ケース１Ａの両側面部に前後回動自在に取付けた略門型形状の操作ハンドル、１１はこの操作ハンドル１０に取付けた操作盤で、床面洗浄清掃機本体１はこの操作ハンドル１０を押して走行又は自走させながら、床面ＦＬを洗浄ブラシ４で洗浄及び清掃するように構成されている。
【００２５】
尚、図面に示した床面洗浄清掃機では、洗浄ブラシ４として円筒状に形成したロール状のブラシを用いて床面ＦＬを洗浄及び清掃しているが、洗浄ブラシ４として円盤状（ディスク状）のブラシを用いてもよく、その選択は任意とする。
【００２６】
以上の如く構成した操作ハンドル１０は、その両下端部に固定した左右の係止板１２Ｌ，１２Ｒを、図１並びに図６、図７に示す如く取付軸１３を用いて本体ケース１Ａの側面に夫々回動自在に取付けることにより、図２に示すように床面洗浄清掃機本体１の前進及び後進方向に対して折り畳み回動自在に取付けられている。
【００２７】
上記右の係止板１２Ｒの下側部側は図６の（１）及び図７の各図に示す如く略円弧状に形成されていて、その円弧部の左右両端部には放射方向に操作ハンドル１０の回動角度を規制する爪状の後方ストッパー１２Ａと前方ストッパー１２Ｂが突出形成され、更にこれ等両ストッパー１２Ａ，１２Ｂ間の円弧部には、複数の係合溝１２Ｔ…が凹設されている。
【００２８】
ここで、図３の（１）、図４及び図５に示した床面洗浄清掃機本体１の左側面側には、同様な左の係止板１２Ｌが操作ハンドル１０の下端部に固定され、下側部側は略円弧状に形成されて爪状の後方ストッパー１２Ａと前方ストッパー１２Ｂが突出形成されているが、複数の係合溝は無い。
【００２９】
これ等両ストッパー１２Ａ，１２Ｂと係合溝１２Ｔ…は、後述する右の係合ピン１５Ｒとの係合によって、操作ハンドル１０を図２に示した各位置に夫々係止するための回動位置係止機構を構成するものであって、具体的には、後方ストッパー１２Ａは「手前位置」に、中間の係合溝１２Ｔ…は「直立位置」と「中間位置」に、また、前方ストッパー１２Ｂは「水平位置」（前倒し位置）に係止できるように構成されている。
【００３０】
ここで、図３の（１）、図４及び図５に示した床面洗浄清掃機本体１の左側面側にも、左の係合ピン１５Ｌが設けられているが、左側に関しては係合ピン１５Ｌは本体ケース１Ａに固定されて「手前位置」と「水平位置」の場合のみ前述の両ストッパー１２Ａ，１２Ｂにおいて規制される構成となっており、これによりハンドル１０の動作の前後の限界位置についてのみ左右両側とも両ストッパー１２Ａ，１２Ｂが作用して、ハンドル１０の変形が防止できる様に成っている。
【００３１】
更に上記右側の回動位置係止機構を詳しく説明すると、図６において、１４は一側部を支持軸１６を用いて上記本体ケース１Ａの側面に上下回動自在に取付けたペダル式解放板、１４Ａはその踏板を示し、また、図６の（２）において１４Ｘは前記右の係止板１２Ｒの取付軸１３を挿通するために、ペダル式解放板１４に設けたガイド長孔を示すものであって、前述した右の係合ピン１５Ｒはこの様に構成したペダル式解放板１４の略中央部に取付けられている。
【００３２】
更に図中、１５Ｓは両端を上記本体ケース１Ａの内部に突設した取付け突子１５Ｔと、上記右の係合ピン１５Ｒの内端部の間に張設したバネ（コイルスプリング）であって、右の係合ピン１５Ｒはこのバネ１５Ｓの牽引力によって、常時上記両ストッパー１２Ａ，１２Ｂ或いは係合溝１２Ｔ…に対する係合状態を弾性的に維持すると共に、このバネ１５Ｓによる右の係合ピン１５Ｒの係合状態は、操作者（使用者）が踏板１４Ａを踏んで、ペダル式解放板１４の全体を支持軸１６を支点にして図６（１）で仮想線に示す如く下方に回動すると外れて、操作ハンドル１０の回動をフリーに行えるように構成されている。
【００３３】
また、踏板１４Ａを踏んでペダル式解放板１４を下方に回動すると、ペダル式解放板１４の後縁部（押圧部１４Ｋ）が移動用車輪９の外周を押圧して、ブレーキ作用を発揮する一方、踏板１４Ａを踏んで右の係合ピン１５Ｒを上記右の係止板１２Ｒの係合溝１２Ｔから外した後は、右の係止板１２Ｒの円弧部が右の係合ピン１５Ｒを押下して上記のブレーキ作用を維持するため、例えば、操作ハンドル１０を引き起こそうとしてペダル式解放板１４を踏んだ瞬間に、床面洗浄清掃機が移動してしまうことのないように考慮されている。
【００３４】
図２に示した実施例では、４ポジション操作でハンドル１０が４位置に固定出来るようになっているが、これは実施の一例であり、特に「直立位置」から「手前位置」の「使用時の揺動範囲」では、別途摩擦クラッチなどを組み込んで無段階で揺動位置に固定できる様にすることも可能であると共に、また、操作ハンドル１０を手前位置に倒しておけば、机やテーブルの下などを清掃する際にもやりやすくなる等、使い勝手がよい様に工夫されている。
【００３５】
尚、上記の図２と、以下に述べる図３乃至図５では、上述した様に左側は左の係止板１２Ｌと左の係合ピン１５Ｌとで限界位置でのみ前記両ストッパー１２Ａ，１２Ｂで規制する構成としたが、右側と同様の構成にしたり、ペダル式解放板１４を左右に設けて連動させることも可能である。
【００３６】
図３には操作ハンドル１０を図２の「中間位置」で固定してから床面洗浄清掃機本体１を引き起こした状態を示し、この状態であれば洗浄ブラシ４を乾燥させるために仮置きしていても設置面積を広く必要とせず、また、洗浄ブラシの交換などの作業もやりやすくなっている。
【００３７】
通常、床面洗浄清掃機を置いておく場合は、図２の「直立位置」に操作ハンドル１０を立てて放置してもよいが、その姿勢を長時間続けると、洗浄ブラシ４の刷毛が床面ＦＬに当接した部分だけ変形することがあり、その後の洗浄性能を劣化させることがある。そのため、洗浄水貯留タンク２は手前側の下側が斜めに切り欠いた傾斜面２Ａの形状をしており、操作ハンドル１０を中間位置にしておいて全体を手前側に引き起こす（引き倒す）と、洗浄ブラシ４の部分が床面ＦＬから浮き上がり、通気性が良くなって短時間でブラシ乾燥でき、またそのままで置いておいても洗浄ブラシ４の刷毛の変形の心配もない。
【００３８】
図４は上記図３に示した姿勢の際の内部の構造物の配置と重量の関係を示し、図の様に移動用車輪９（後輪）の車軸を中心にして手前側に重量の重いブロアー６とそのモータ６Ｍの重心が位置する様に構成し、更に操作ハンドル１０の重心や洗浄水貯留タンク２の重心に作用する各部の重量により、先端側の洗浄ブラシ４やそのモータ４Ｍの重さによっても倒れずに姿勢を維持できる様になっている。
【００３９】
更に、上記図４に示した状態で仮に洗浄水貯留タンク２の内部に水が注入されていない（空の）状態であっても、前述のブロアー６と操作ハンドル１０の重量の影響により、仮置き姿勢が安定できるようにブロアー６の重心位置と操作ハンドル１０の中間位置が設定されている。
【００４０】
また、床面洗浄清掃機を長時間使用しない場合は、図５の様に洗浄水貯留タンク２を外して操作ハンドル１０を「水平位置」（前倒し位置）に倒した後、全体を引き起こして上記洗浄水貯留タンク２の取付部１Ｋと支持脚１Ｒで支持させることにより、床面洗浄清掃機本体１の全体を床面ＦＬ上に「収納姿勢」の状態で支持することができる。
【００４１】
図７は、前記図６に示した前記操作ハンドル１０の回動位置係止機構の他の実施例を示したものであって、この実施例ではペダル式解放板１４と第２解放板１７の２つの解放部材によって、操作ハンドル１０の回動を係脱するように構成している。
【００４２】
即ち、図７において右の係止板１２Ｒは前記図６に示した実施例と同じ構造に作られているが、右の係合ピン１５Ｒを第２解放板１７に取付けている点で、具体的構造が相違している。図７の（１）は操作ハンドル１０を図２の「直立位置」に係合（ロック）した状態を示し、同（２）はペダル式解放板１４の踏板１４Ａを踏んで、右の係合ピン１５Ｒによる係合を外している状態を示し、更に同（３）は係合が完全に外れた状態を示している。
【００４３】
上記図７の（１）、（２）、（３）において、１７はペダル式解放板１４の一側に設けた取付片１４Ｒに対して、第２支持軸１８を用いて回動自在に取付けた第２解放板、１９は第２支持軸１８に取付けた第２バネ（トーションバネ）であって、この第２解放板１７に取付けた右の係合ピン１５Ｒが第２バネ１９の弾発力を受けて、操作ハンドル１０の下端部に取付けた右の係止板１２Ｒの各ストッパー１２Ａ，１２Ｂ、或いは、係合溝１２Ｔ…に弾性的に係合して、操作ハンドル１０を図２に示したいずれかの位置（角度）に係止するように構成されている。
【００４４】
また、ペダル式解放板１４の踏板１４Ａを踏むと、上記の係止を外して操作ハンドル１０の回動をフリーにする一方、ペダル式解放板１４の押圧部１４Ｋが移動用車輪９を押圧してブレーキを掛けることができる点は、前記図６に示した実施例と同じである。尚、図２乃至図６において、９Ａは移動用の前輪を示す。
【図面の簡単な説明】
【００４５】
【図１】本発明に係る床面洗浄清掃機の外観及び内部構造を説明した斜視図。
【図２】本発明に係る床面洗浄清掃機における操作ハンドルの回動位置を説明した側面図。
【図３】（１）は本発明に係る床面洗浄清掃機の仮置き状態を示した側面図で、（２）はその正面図。
【図４】本発明に係る床面洗浄清掃機の仮置き時における重量バランスを説明した側面図。
【図５】洗浄水貯留タンクを取り外した本発明に係る床面洗浄清掃機における縦置き収納状態を説明した側面図。
【図６】（１）は本発明に係る床面洗浄清掃機における操作ハンドルの回動位置係止機構を説明した側面図で、（２）はそのＸ−Ｘ線に沿った断面図。
【図７】本発明に係る床面洗浄清掃機における操作ハンドルの回動位置係止機構の他の実施例を説明したものであって、（１）は係止時の側面図、（２）は係止を外している状態の側面図、（３）は係止が外れた状態を説明した側面図。
【符号の説明】
【００４６】
１            床面洗浄清掃機本体
１Ａ          本体ケース
１Ｂ          ブラシケース
１Ｋ          洗浄水貯留タンクの取付部            
１Ｚ          支持脚
２            洗浄水貯留タンク
２Ａ          傾斜面
２Ｘ          タンク吸気／吸水口
２Ｙ          タンク排気口
３            止め金具
４            洗浄ブラシ
４Ｍ          洗浄ブラシ駆動モータ
５            スキージ装置
６            ブロアー
６Ｘ          ブロアー排気口
７            汚水回収ダクト
８            洗浄水給水ポンプ
８Ａ          洗浄水給水パイプ
９            移動用車輪
１０          操作ハンドル
１２Ｌ        （左の）係止板
１２Ｒ        （右の）係止板
１２Ａ        （後方）ストッパー
１２Ｂ        （前方）ストッパー
１２Ｔ        係合溝
１３          取付軸
１４          ペダル式解放板
１４Ａ        踏板
１４Ｋ        押圧部
１５          係合ピン
１５Ｓ        バネ（コイルスプリング）
１６          支持軸
１７          第２解放板
１８          第２支持軸
１９          第２バネ（トーションバネ）
ＦＬ          床面
【図１】
2008206725.tif 000003
【図２】
2008206725.tif 000004
【図３】
2008206725.tif 000005
【図４】
2008206725.tif 000006
【図５】
2008206725.tif 000007
【図６】
2008206725.tif 000008
【図７】
2008206725.tif 000009